(57)【要約】【課題】複数の調理装置を用いて調理を完成させるときに、効率よく円滑に調理作業を進めることができる調理システムを提供する。【解決手段】調理装置１，２，３と、通信端末４とを備える。通信端末４は、調理名情報と、調理工程情報と、加熱制御情報とからなる調理情報を記憶する。通信端末４の操作部２９を操作して調理情報が選択される。通信端末４は、選択された調理情報の調理工程情報に基づいて、該当する調理装置１，２，３に加熱制御情報を送信し、加熱制御情報を受信した調理装置１，２，３の制御部は、受信した加熱制御情報に基づいて調理を実行する。【選択図】図１
2019097672.tif 000002
【特許請求の範囲】
【請求項１】
加熱形態の異なる複数の調理装置と、各調理装置と通信可能な通信端末とを備え、
各調理装置は、夫々、調理物を加熱する加熱部と、該加熱部を制御する加熱制御部とを備え、
前記通信端末は、複数の調理情報を記憶する記憶部と、所望の調理情報を選択操作する操作部とを備え、
各調理情報は、調理名情報と、調理の手順に関する情報である調理工程情報と、各調理工程毎の各調理装置の加熱部の制御に関する情報である加熱制御情報とを備えて構成され、
前記通信端末の前記操作部の操作により調理情報が選択されたとき、前記通信端末は、選択された調理情報の前記調理工程情報に基づいて、該当する調理装置に加熱制御情報を送信し、該加熱制御情報を受信した調理装置の制御部は、受信した加熱制御情報に基づいて、加熱部を制御して調理を実行することを特徴とする調理システム。
【請求項２】
請求項１記載の調理システムにおいて、
前記各調理装置のうちの少なくとも何れか１つは、複数の加熱部を備え、
前記加熱制御情報は、当該調理装置における複数の加熱部の夫々の制御に関する情報を備えることを特徴とする調理システム。
【請求項３】
請求項１又は２記載の調理システムにおいて、
前記調理情報は、代替可能な異なる複数の調理装置の前記加熱制御情報を併用して構成され、
前記通信端末は、選択された前記調理情報に対応する調理で使用する調理装置を使用者が所有していないとき、代替可能な調理装置を選択して当該調理装置の前記加熱制御情報を用いることを特徴とする調理システム。
【請求項４】
請求項１〜３の何れか１項記載の調理システムにおいて、
前記通信端末は、前記調理情報が表示可能な表示部と、該表示部に前記調理情報を選択的に表示させる表示制御部とを備え、
前記表示制御部は、使用者が所有する調理装置を用いる調理情報のみを前記表示部に表示させることを特徴とする調理システム。
【発明の詳細な説明】
【技術分野】
【０００１】
本発明は、複数の加熱調理機器を通信端末を介して連携させることにより調理を行う調理システムに関する。
【背景技術】
【０００２】
従来、スマートフォン等の通信端末と調理装置との間で通信を行い、通信端末で選択された調理レシピに対応した調理情報を通信端末から受信して、自動加熱調理を行うようにした加熱調理装置が提案されている（例えば、特許文献１参照）。
【０００３】
特許文献１には、複数の加熱部（３つのバーナと１つのグリル）を有するガスコンロ（調理装置）において、調理メニューにより選択された複数の品目の加熱調理（ほうれん草の茹で、味噌汁、炊飯、焼き魚）をほぼ同時期に完了するように調理スケジュールを生成する構成が記載されている。そして、ガスコンロは、このようにして生成された調理スケジュールに従って、複数の加熱部を使用して複数種の自動調理を並行して実行している。
【先行技術文献】
【特許文献】
【０００４】
【特許文献１】特開２０１４−１６３５４１号公報
【発明の概要】
【発明が解決しようとする課題】
【０００５】
自動加熱調理には、上述した複数の加熱部により複数種の加熱調理を並行して行う場合の他に、１つの調理を完成するために複数の調理装置（例えば、ガスコンロ、オーブン、炊飯器等）を順番に或いは同時に使用する場合がある。
【０００６】
複数の調理装置を用いて１つの調理を完成させるときには、複数の調理装置を所定の順番で使用する必要があるだけでなく、各調理装置毎の火加減や加熱時間等の管理が必要であり、これらを誤ると調理が効率よく行えず、調理失敗を招くおそれもある。
【０００７】
本発明はかかる背景に鑑みてなされたものであり、複数の調理装置を用いて調理を完成させるときに、効率よく円滑に調理作業を進めることができる調理システムを提供することを目的とする。
【課題を解決するための手段】
【０００８】
かかる目的を達成するために、本発明は、加熱形態の異なる複数の調理装置と、各調理装置と通信可能な通信端末とを備え、各調理装置は、夫々、調理物を加熱する加熱部と、該加熱部を制御する加熱制御部とを備え、前記通信端末は、複数の調理情報を記憶する記憶部と、所望の調理情報を選択操作する操作部とを備え、各調理情報は、調理名情報と、調理の手順に関する情報である調理工程情報と、各調理工程毎の各調理装置の加熱部の制御に関する情報である加熱制御情報とを備えて構成され、前記通信端末の前記操作部の操作により調理情報が選択されたとき、前記通信端末は、選択された調理情報の前記調理工程情報に基づいて、該当する調理装置に加熱制御情報を送信し、該加熱制御情報を受信した調理装置の制御部は、受信した加熱制御情報に基づいて、加熱部を制御して調理を実行することを特徴とする。
【０００９】
本発明によれば、通信端末の操作部で所望の調理情報（例えば調理名）を選択すると、通信端末は、選択された調理で使用する複数の調理装置の各々に、各調理装置が担当する夫々の調理に応じた加熱制御情報を送信する。そして、通信端末からの加熱制御情報を受信した各調理装置は、加熱制御情報に基づいて制御される加熱部により、調理を実行する。これによれば、通信端末を介して選択した調理の工程を容易に把握することができるだけでなく、各調理装置が担当する工程での調理を正確に管理することができる。よって、複数の調理装置を用いる必要のある調理を選択しても、効率よく円滑に調理作業を進めて調理を完成させることができ、各調理装置の設定も通信端末から送信される加熱制御情報に基づいて行われるから調理失敗を防止することができる。
【００１０】
また、本発明の調理システムにおいて、前記各調理装置のうちの少なくとも何れか１つは、複数の加熱部を備え、前記加熱制御情報は、当該調理装置における複数の加熱部の夫々の制御に関する情報を備えることを特徴とする。
【００１１】
複数の調理装置の中の少なくとも１つが複数の加熱部を備えるとき、通信端末から送信される加熱制御情報がそれらの加熱部に対応することにより、複数の調理装置同士の連携に加えて、１つの調理装置の各加熱部同士を連携させて調理を行うことができる。よって、一層複雑な調理であっても円滑に行うことができ、調理の効率も向上させることができる。
【００１２】
また、本発明の調理システムにおいて、前記調理情報は、代替可能な異なる複数の調理装置の前記加熱制御情報を併用して構成され、前記通信端末は、選択された前記調理情報に対応する調理で使用する調理装置を使用者が所有していないとき、代替可能な調理装置を選択して当該調理装置の前記加熱制御情報を用いることを特徴とする。
【００１３】
これによれば、使用者が所有していない調理装置を使用する調理であっても、代替可能な調理装置がある場合には、当該調理装置の加熱制御情報を用いて調理を行うことができる。
【００１４】
また、本発明の調理システムにおいて、前記通信端末は、前記調理情報が表示可能な表示部と、該表示部に前記調理情報を選択的に表示させる表示制御部とを備え、前記表示制御部は、使用者が所有する調理装置を用いる調理情報のみを前記表示部に表示させることを特徴とする。
【００１５】
通信端末の表示部に表示される調理情報は、使用者が所有する調理装置を用いる調理情報のみであるため、使用者が所有していない調理装置を用いる調理情報は選択不能となる。従って、通信端末において使用者が所有していない調理装置を用いる調理を誤って選択する事態が生じることを確実に防止することができる。
【図面の簡単な説明】
【００１６】
【図１】本発明の実施形態の調理システムの構成図。
【図２】本実施形態の調理システムの各調理装置の構成図。
【図３】本実施形態の調理システムにおけるカツカレーの調理手順を示すチャート。
【図４】スマートフォンによるカツカレーの設定手順を示した説明図。
【図５】カツカレーの調理時の各調理装置のタイミングチャート。
【図６】本実施形態の調理システムにおけるパスタの調理手順を示すチャート。
【図７】本実施形態の調理システムにおけるビーフシチューの調理手順を示すチャート。
【図８】本実施形態の調理システムにおけるドリアの調理手順を示すチャート。
【図９】本実施形態の調理システムにおいてオーブンの代替えとしてグリルを用いたドリアの調理手順を示すチャート。
【図１０】本実施形態の調理システムにおけるパエリアの調理手順を示すチャート。
【図１１】スマートフォンによるパエリアの設定手順を示した説明図。
【図１２】パエリアの調理時の各調理装置のタイミングチャート。
【発明を実施するための形態】
【００１７】
本発明の一実施形態を図面に基づいて説明する。本実施形態の調理システムは、図１に示すように、ガスコンロ１と、炊飯器２と、オーブン３と、スマートフォン４とで構成される。ガスコンロ１、炊飯器２、オーブン３は、本発明における加熱形態の異なる複数の調理装置に相当する。スマートフォン４は本発明における通信端末に相当する。なお、通信端末としてスマートフォン４を用いているが、それ以外に、図示しないが、タブレット型端末や通信機能を有するモバイル型パーソナルコンピュータ等を用いることもできる。
【００１８】
ガスコンロ１は、グリル５が収容されたコンロ本体１ａと、コンロ本体１ａの上部に設けた天板１ｂ上に露出する３つのコンロバーナ（左コンロバーナ６、後コンロバーナ７、右コンロバーナ８）とを備えている。
【００１９】
コンロ本体１ａには、グリル５及びコンロバーナ６，７，８を各別に操作する操作ボタン９，１０，１１，１２と、開閉パネル１３を閉じると非露出状態となる設定操作スイッチ部（図示省略）と、電子回路からなるコンロコントローラ１４（図２参照）と、各種の報知を行うためのスピーカ１５（図２参照）とが設けられている。
【００２０】
ガスコンロ１における各コンロバーナ６，７，８及びグリル５内の図示しないグリルバーナは本発明における加熱部に相当する。コンロコントローラ１４は、本発明における加熱制御部としての機能を有する。そして、ガスコンロ１は、本発明における複数の加熱部を備える調理装置に相当する。
【００２１】
炊飯器２は、図示しないが、内部に炊飯釜と、炊飯釜を加熱するバーナ或いはヒータ等の加熱部とを備えている。炊飯器２の上部には、炊飯釜を閉塞する開閉蓋１６と、米の炊き具合等を設定するための操作部１７とが設けられ、内部には設定された炊き具合等を制御する炊飯コントローラ１８（図２参照）と、各種の報知を行うためのスピーカ１９（図２参照）とが設けられている。炊飯コントローラ１８は、本発明における加熱制御部としての機能を有する。
【００２２】
オーブン３は、前面に設けられた開閉扉２０と、複数の設定スイッチからなる操作部２１と、内部の図示しない加熱部であるヒータの温度、予熱時間、及び加熱時間等を制御するオーブンコントローラ２２（図２参照）と、各種の報知を行うためのスピーカ２３（図２参照）とを備えている。オーブンコントローラ２２は、本発明における加熱制御部としての機能を有する。
【００２３】
ガスコンロ１、オーブン３、炊飯器２、及びスマートフォン４は、何れも、Ｂｌｕｅｔｏｏｔｈ（Ｂｌｕｅｔｏｏｔｈ  ＳＩＣ，Ｉｎｃ．ＵＳＡの登録商標）やＷｉ−Ｆｉ（Ｗｉ−Ｆｉ  Ａｌｌｉａｎｃｅの登録商標）等による無線通信を行う機能を有している。
【００２４】
スマートフォン４には、使用者によって、インターネット等のネットワークを介して取得した調理選択用のアプリケーション（以下、調理選択アプリという）がインストールされている。
【００２５】
調理選択アプリは、選択可能な調理に対応する調理情報と共にスマートフォン４が備えている記憶部２４（図２参照）に格納される。なお、調理選択アプリを介して選択された調理に対応する調理情報のみを、その都度インターネット等のネットワークを介して取得し記憶部２４に記憶させてもよい。調理情報は、後述するが、調理名情報、調理工程情報、及び加熱制御情報を備えて構成されている。
【００２６】
図２に示すように、ガスコンロ１は、ガスコンロ１の全体的な作動を制御するコンロコントローラ１４と、通信回路２５とを備えている。
【００２７】
同じように、炊飯器２は、炊飯器２の全体的な作動を制御する炊飯コントローラ１８と、通信回路２６とを備えており、オーブン３は、オーブン３の全体的な作動を制御するオーブンコントローラ２２と、通信回路２７とを備えている。
【００２８】
各コントローラ１４，１８，２２は、ＣＰＵ及び各種インターフェース回路等により構成され、制御用プログラムをＣＰＵにより実行することによって、所定の加熱動作を行う。また、各コントローラ１４，１８，２２は、夫々の通信回路２５，２６，２７を介して各種情報の送受信を行うことができるようになっている。
【００２９】
スマートフォン４は、スマートフォン４の全体的な作動を制御するスマホコントローラ２８と、使用者によるタッチ操作が可能な操作部であると共に各種の画面が表示される表示部であるタッチパネル２９と、音声等が出力されるスピーカ３０と、通信回路３１とを備えている。スマホコントローラ２８は、通信回路３１を介してガスコンロ１、オーブン３、及び炊飯器２との間で通信を行う。
【００３０】
スマホコントローラ２８は、ＣＰＵや各種インターフェース回路等により構成された電子回路ユニットであり、スマートフォン４の制御用プログラムを、ＣＰＵにより実行する。また、スマホコントローラ２８は、タッチパネル２９を制御するパネル制御部３２を機能として備えている。なお、パネル制御部３２は、その一部が本発明における表示制御部として機能するようになっている。
【００３１】
上記構成の調理システムにおいて、先ず、使用者による準備が行われる。即ち、使用者は、調理選択アプリをスマートフォン４にインストールしたとき、初期設定としてガスコンロ１、オーブン３、及び炊飯器２の例えば機種名を登録する操作を行う。この登録により、調理選択アプリは、ガスコンロ１、オーブン３、及び炊飯器２の機種名が入力されると、インターネット等のネットワークを介して、ガスコンロ１、オーブン３、及び炊飯器２の夫々の加熱部を制御するための加熱制御情報は取得する。このとき取得された加熱制御情報は、ガスコンロ１、オーブン３、及び炊飯器２の夫々の仕様（加熱部の加熱能力等）に対応した情報である。
【００３２】
更に、使用者は、調理選択アプリにより、スマートフォン４とガスコンロ１、オーブン３、及び炊飯器２との無線による双方向通信を確立する。
【００３３】
また、ガスコンロ１、オーブン３、及び炊飯器２を登録するとき、使用者が例えばオーブン３を所有していない場合（オーブン３の登録操作をキャンセルした時）、調理選択アプリにより、ガスコンロ１のグリル５がオーブン３の代替え品として登録される。ガスコンロ１のグリル５がオーブン３の代替え品として登録したとき、調理選択アプリは、オーブン３の加熱部を制御するための加熱制御情報を併用してガスコンロ１のグリル５に適用させる。
【００３４】
しかし、調理内容によっては、ガスコンロ１のグリル５がオーブン３の代替え品として利用できない場合がある。この場合に、調理選択アプリは、オーブン３を用いてガスコンロ１のグリル５を代替えできない調理を選択できないように除外し、当該調理に関する情報をスマートフォン４のタッチパネル２９に表示しない。
【００３５】
次に、本実施形態の調理システムによる調理例１〜６について具体的に説明する。調理例１はカツカレー、調理例２はパスタ、調理例３はビーフシチュー、調理例４はドリア１（オーブン使用）、調理例５はドリア２（グリル使用）、調理例６はパエリアである。これらの調理は、スマートフォン４のタッチパネル２９から選択することができる一部の調理である。
【００３６】
［調理例１：カツカレー］
使用者がスマートフォン４のタッチパネル２９から調理名情報であるカツカレーを選択すると、「カレールーを煮る」、「ご飯を炊く」、及び「ノンフライとんかつを加熱する」という加熱調理が３つの調理装置により実行される。
【００３７】
本実施形態におけるカツカレーの調理手順は、図３に示すように、ガスコンロ１によりカレールーを調理し、炊飯器２によりご飯を炊き、オーブン３によりノンフライとんかつを作って最後に皿に盛り付け、完成となる。
【００３８】
スマートフォン４においては、図４に示すように、タッチパネル２９に、カツカレーの材料や調理手順を示す調理情報が表示される。そして、使用者が調理実行の確定操作を行うと、ガスコンロ１の各コンロバーナ６，７，８、グリル５、炊飯器２、及びオーブン３を選択する選択画面Ｒ１が、調理工程情報に従ってタッチパネル２９に表示される。
【００３９】
選択画面Ｒ１では、左コンロバーナ６と右コンロバーナ８のみが選択可能であるため、左コンロバーナ６の対応表示、右コンロバーナ８の対応表示、後コンロバーナ７の対応表示、及びグリル５の対応表示のうち、左コンロバーナ６の対応表示と右コンロバーナ８の対応表示が強調表示（網掛け表示等）される。
【００４０】
使用者が左コンロバーナ６と右コンロバーナ８のうちの何れかを選択すると、タッチパネル２９の表示が炊飯器２の選択画面Ｒ２に切り替わり、炊飯器２の対応表示が強調表示（網掛け表示等）される。
【００４１】
使用者が炊飯器２を選択すると、タッチパネル２９の表示が、とんかつ（ノンフライとんかつ）の加熱調理に使用するオーブン３の選択画面Ｒ３に切り替わる。選択画面Ｒ３では、オーブン３のみが選択可能であるため、オーブン３の対応表示が強調表示（網掛け表示等）される。
【００４２】
使用者がオーブン３を選択すると、タッチパネル２９に加熱制御情報の送信状況を示す画面が表示され、スマートフォン４からガスコンロ１、炊飯器２、及びオーブン３に、夫々の加熱制御情報が送信される。
【００４３】
ガスコンロ１、炊飯器２、及びオーブン３は、スマートフォン４から加熱制御情報を受信すると、コンロコントローラ１４、炊飯コントローラ１８、及びオーブンコントローラ２２は夫々、図５に示すタイミングチャートに従って加熱調理を行う。タイミングチャートの各調理タイミングにおいては、ガスコンロ１、炊飯器２、オーブン３又はスマートフォン４から音声ガイダンスにより使用者に点火・消火やＯＮ／ＯＦＦの指示を行う。
【００４４】
即ち、ガスコンロ１が加熱制御情報を受信すると、カレールーの加熱調理の開始を促す報知を行う。この報知は、例えば、「鍋を右コンロバーナに置いて点火して下さい」との音声ガイダンスをスピーカ１５から出力することによって行う。
【００４５】
そして、使用者が、食材を入れた鍋を右コンロバーナ８の五徳に載置して、点火操作を行ったときに、コンロコントローラ１４は加熱制御情報に従ってカレールーの加熱調理運転を行う。カレールーの加熱調理は、図５に示すように、「食材炒め」「煮込み及び煮込み保温」「ルー投入」からなり、各タイミング毎に使用者に対する音声ガイダンスが行われる。このとき、スピーカ１５から「食材をかき混ぜながら調理して下さい」との音声ガイダンスを適宜のタイミングで出力することで、調理失敗を防止して円滑に調理を進行させることができる。
【００４６】
ご飯の加熱調理（炊飯）の開始タイミングになった時には、炊飯器２の炊飯コントローラ１８は、炊飯開始を促す報知を行う。この報知は、例えば、「開始スイッチをＯＮして下さい」との音声ガイダンスをスピーカ１９から出力することによって行う。
【００４７】
続いてノンフライとんかつの加熱開始タイミングになった時には、オーブン３のオーブンコントローラ２２は、加熱開始を促す報知を行う。この報知は、例えば、「とんかつをオーブンに入れてスイッチをＯＮして下さい」との音声ガイダンスをスピーカ２３から出力することによって行われる。なお、上記の音声ガイダンスは、スマートフォン４のスピーカ３０から出力させてもよい。
【００４８】
図５に示すように、とんかつの加熱調理運転が完了するタイミングが、カレールーの調理完了及びご飯の炊きあがるタイミングと合致するように設定されている。
【００４９】
加熱制御情報は、全体の調理完了時間を合わせる制御機能を備える。炊飯器２による炊飯開始時間及びオーブン３による調理開始時間に応じてガスコンロ１のカレールー調理における煮込み保温時間を増減させる。即ち、保温に適さない調理が最後に完了するように調理工程情報を組み立てておき、保温可能な調理の保温時間を調整することで調理完了時間を合わせる設定が可能となる。
【００５０】
また、調理の開始時間で完了時間を合わせることができる場合には、開始時間を調節してもよい。例えば、炊飯器２による炊飯開始時間及びカレールー調理における煮込み開始時間に応じて、オーブン３による調理開始時間を調整することでも、完了時間を合わせることができる。
【００５１】
このように、スマートフォン４からガスコンロ１、炊飯器２、及びオーブン３に加熱制御情報を送信することにより、調理失敗の発生が防止でき、円滑に効率よく調理を完成させることができる。
【００５２】
なお、上記の例では、スマートフォン４は、タッチパネル２９によるガスコンロ１、炊飯器２、及びオーブン３の選択操作を経た後に、ガスコンロ１、炊飯器２、及びオーブン３の夫々に加熱制御情報の送信が行われるようになっているが、加熱制御情報の送信タイミングはこれに限るものではない。例えば、スマートフォン４においては、調理工程情報に従って、各調理装置による調理の実行段階で、当該調理装置の加熱制御情報の送信を行うようになっていてもよい。
【００５３】
［調理例２：パスタ］
使用者がスマートフォン４のタッチパネル２９から調理名情報であるパスタを選択すると、「パスタを茹でる」、「パスタソースを作る」という加熱調理が２つの調理装置を用いて実行される。
【００５４】
本実施形態におけるパスタの調理手順は、図６に示すように、ガスコンロ１によりパスタを茹で、オーブン３によりパスタソースを煮込み、最後に皿に盛り付け、完成となる。図示しないが、使用者は、スマートフォン４に表示される選択画面を操作することで、ガスコンロ１とオーブン３との夫々に加熱制御情報を送信することで、調理例１の場合と同じように、調理工程情報に沿った調理を行うことができる。そして、少なくとも２つの調理装置を用いた加熱調理を並行して行う調理スケジュールが設定される調理であっても、本発明を好適に採用することができる。
【００５５】
［調理例３：ビーフシチュー］
ビーフシチューの場合も、２つの調理装置を用いた加熱調理が実行される。即ち、使用者がスマートフォン４のタッチパネル２９から調理名情報であるビーフシチューを選択すると、「肉・野菜を炒める」、「水、ワインを入れて煮込む」という調理が行われる。
【００５６】
本実施形態におけるビーフシチューの調理手順は、図７に示すように、ガスコンロ１により肉・野菜を炒めて、オーブン３により煮込み、最後に皿に盛り付け、完成となる。この場合にも、使用者は、スマートフォン４に表示される選択画面を操作することで、ガスコンロ１とオーブン３との夫々に加熱制御情報が送信され、調理工程情報に沿った調理が行われる。
【００５７】
［調理例４：ドリア１］
使用者がスマートフォン４のタッチパネル２９から調理名情報であるドリアを選択すると、「ソースを作る」、「ご飯を炊く」、及び「皿に移して焼く」という加熱調理が３つの調理装置により実行される。
【００５８】
ドリアの調理手順は、図８に示すように、ガスコンロ１により肉（魚介）・野菜を炒めて、ソースを作り、炊飯器２によりご飯を炊き、ご飯を皿に移して上からソースとチーズをかけ、オーブン３の予熱の後に続いてご飯に載せたチーズを焼き、完成となる。使用者によるスマートフォン４の選択操作及びガスコンロ１、炊飯器２、オーブン３の操作は前述の調理と同様に音声ガイダンス等の指示に従って円滑に進めることができる。
【００５９】
［調理例５：ドリア２］
スマートフォン４の記憶部２４に記憶される調理情報は、代替可能な異なる複数の調理装置の加熱制御情報が併用される。
【００６０】
ここで、ドリアを作るにあたり、使用者がオーブンを所有していなかった場合、ガスコンロ１が備えているグリル５を用いてオーブンに代えることができる。このとき、スマートフォン４は、オーブンとの通信が確立されていない場合、ガスコンロ１にグリル５を制御するための加熱制御情報を送信する。
【００６１】
グリル５を用いたドリアの調理手順は、図９に示すように、ガスコンロ１により肉（魚介）・野菜を炒めて、ソースを作り、炊飯器２によりご飯を炊き、ご飯を皿に移して上からソースとチーズをかけ、グリル５でご飯に載せたチーズを焼き、完成となる。
【００６２】
このように、使用者がオーブンを所有していなくても、グリル５を用いて調理を行うことができる場合には、支障なく調理を行うことができる。
【００６３】
なお、詳しい説明は省略するが、併用される加熱制御情報として、ガスコンロ１の代替え可能となるＩＨクッキングヒータ等であっても適用が可能である。
【００６４】
また、使用者がオーブンを所有しておらず、ガスコンロ１のグリル５で代用ができない調理である場合には、当該調理名をスマートフォン４の選択画面に表示しないようになっている。これにより、誤って選択されることを防止することができる。
【００６５】
［調理例６：パエリア］
使用者がスマートフォン４のタッチパネル２９から調理名情報であるパエリアを選択すると、「肉・野菜を炒める」、「ご飯を炒める」、「魚・エビを焼く」、「ご飯を炊く」、「ドライトマトを作る」及び「盛り付けて焼く（仕上げ焼き）」という加熱調理が３つの調理装置により実行される。
【００６６】
本実施形態におけるパエリアの調理手順は、図１０に示すように、ガスコンロ１の右コンロバーナ８又は左コンロバーナ６により炒め調理を行い、ガスコンロ１のグリル５により魚やエビを焼き、炊飯器２によりご飯を炊き、オーブン３によりドライトマトを作り、同じくオーブンにより盛り付けて焼いて、完成となる。
【００６７】
スマートフォン４においては、図１１に示すように、タッチパネル２９に、パエリアの材料や調理手順を示す調理情報が表示される。そして、使用者が調理実行の確定操作を行うと、ガスコンロ１の各コンロバーナ６，７，８、グリル５、炊飯器２、及びオーブン３の選択画面Ｐ１が、調理工程情報に従ってタッチパネル２９に表示される。
【００６８】
選択画面Ｐ１では、左コンロバーナ６と右コンロバーナ８のみが選択可能であるため、左コンロバーナ６の対応表示、右コンロバーナ８の対応表示、後コンロバーナ７の対応表示、及びグリル５の対応表示のうち、左コンロバーナ６の対応表示と右コンロバーナ８の対応表示が強調表示（網掛け表示等）される。
【００６９】
使用者が左コンロバーナ６と右コンロバーナ８のうちの何れかを選択すると、タッチパネル２９の表示が炊飯器２の選択画面Ｐ２に切り替わり、炊飯器２の対応表示が強調表示（網掛け表示等）される。
【００７０】
使用者が炊飯器２を選択すると、タッチパネル２９の表示がガスコンロ１のグリル５の選択画面Ｐ３に切り替わり、タッチパネル２９におけるグリル５の対応表示が強調表示（網掛け表示等）される。
【００７１】
使用者がグリル５を選択すると、オーブン３（ドライトマト）の選択画面Ｐ４に切り替わり、オーブン３の対応表示が強調表示（網掛け表示等）される。
【００７２】
使用者がグリル５を選択すると、オーブン３（仕上げ焼き）の選択画面Ｐ５で対応表示が強調表示（網掛け表示等）される。
【００７３】
使用者が再度オーブン３を選択すると、タッチパネル２９に加熱制御情報の送信状況を示す画面が表示され、スマートフォン４からガスコンロ１、炊飯器２、及びオーブン３に、夫々の加熱制御情報が送信される。
【００７４】
ガスコンロ１、炊飯器２、及びオーブン３は、スマートフォン４から加熱制御情報を受信すると、コンロコントローラ１４、炊飯コントローラ１８、及びオーブンコントローラ２２は夫々、図１２に示すタイミングチャートに従って加熱調理を行う。タイミングチャートの各調理タイミングにおいては、ガスコンロ１、炊飯器２、オーブン３又はスマートフォン４から音声ガイダンスにより使用者に点火・消火やＯＮ／ＯＦＦの指示を行う。
【００７５】
図１２に示すように、先ず、炊飯器２により、ご飯の加熱調理（炊飯）を開始する。これに応じて、炊飯器２の炊飯コントローラ１８は、炊飯開始を促す報知を行う。この報知は、例えば、「開始スイッチをＯＮして下さい」との音声ガイダンスをスピーカ１９から出力することによって行う。
【００７６】
次いで、ドライトマトを作るための加熱開始タイミングになると、オーブン３のオーブンコントローラ２２は、ドライトマト作りを促す報知を行う。この報知は、例えば、「刻みトマトをオーブンに入れてスイッチをＯＮして下さい」との音声ガイダンスをスピーカ２３から出力することによって行われる。
【００７７】
続いて、肉・野菜炒めの開始タイミングになると、ガスコンロ１のコンロコントローラ１４は、食材を炒める調理開始を促す報知を行う。この報知は、例えば、「フライパンを右コンロバーナに置いて点火し、食材を投入して下さい」との音声ガイダンスをスピーカ１５から出力することによって行う。
【００７８】
そして、使用者が、食材を入れたフライパンを右コンロバーナ８の五徳に載置して、点火操作を行ったときに、コンロコントローラ１４は加熱制御情報に従って肉・野菜炒めの加熱調理運転を行う。この間に炊飯が終了し、保温状態（炊飯器における保温機能を用いる）で待機させる。
【００７９】
その後、コンロコントローラ１４は右コンロバーナ８の消火を使用者に指示し、右コンロバーナ８上で炒められた食材の保温を行う。続いて、ご飯の炒め開始のタイミングになったとき、ガスコンロ１のコンロコントローラ１４は、食材を炒める調理開始を促す報知を行う。この報知は、例えば、「ご飯を混ぜて、右コンロバーナを点火してください」との音声ガイダンスをスピーカ１５から出力することによって行う。
【００８０】
また、魚・エビを焼くタイミングになったとき、ガスコンロ１のコンロコントローラ１４は、魚・エビを焼く調理開始を促す報知を行う。この報知は、例えば、「グリルに魚・エビを投入して点火して下さい」との音声ガイダンスをスピーカ１５から出力することによって行う。
【００８１】
この間、オーブン３によるドライトマトが出来たら、オーブンコントローラ２２は、オーブン３からのドライトマトの取り出しを促す報知を行う。そして、グリル５内の魚・エビが焼けたら、コンロコントローラ１４はグリル５を消火させる。
【００８２】
パエリアの場合においては、ガスコンロ１のコンロバーナ６又は８によるご飯の炒め完了時間と、グリル５による魚・エビの焼き完了時間とを合わせる制御が行われる。即ち、グリル５による魚・エビの焼きが完了するまでの時間に応じて、ご飯を炒める前の時間を保温時間として加入させ、炊飯器２においてはご飯の保温を加入する。これにより、オーブン３による仕上げ焼きの開始時には、魚・エビの焼き上がりとご飯の炒めが完了する。
【００８３】
そして、仕上げ焼きの開始タイミングになると、オーブンコントローラ２２は、仕上げ焼きの開始を促す報知を行う。この報知は、例えば、「皿に盛りつけ、オーブンに入れてスイッチをＯＮして下さい」との音声ガイダンスをスピーカ２３から出力することによって行われる。
【００８４】
以上のように、ガスコンロ１、炊飯器２、及びオーブン３を連携させるだけでなく、ガスコンロ１の各コンロバーナ６，７，８とグリル５とを連携させて、パエリア等の比較的複雑な料理であっても円滑に調理を完成させることができる。
【００８５】
なお、上記の調理例１〜６において示した調理手順は、専ら本実施形態において採用したものであり、調理例１〜６が必ず上記の手順によって調理を行うとは限らない。
【００８６】
また、本実施形態においては、ガスコンロ、炊飯器、及びオーブンの３つの調理装置を連携させた例を挙げたが、これ以外の調理装置を選択的に連携させることも可能である。本発明において採用することができる調理装置は、ガスコンロ、炊飯器、オーブン以外に、ＩＨクッキングヒータ、電子レンジ、ホームベーカリー等を挙げることができ、所望の調理に応じて、これらの調理装置を連携させるようにすることができる。
【符号の説明】
【００８７】
１…ガスコンロ（調理装置）、２…炊飯器（調理装置）、３…オーブン（調理装置）、４…スマートフォン（通信端末）、８…右コンロバーナ（加熱部）、７…後コンロバーナ（加熱部）、６…左コンロバーナ（加熱部）、５…グリル（加熱部）、１４…コンロコントローラ（加熱制御部）、１８…炊飯コントローラ（加熱制御部）、２２…オーブンコントローラ（加熱制御部）、２４…記憶部、２９…タッチパネル（操作部、表示部）、３２…パネル制御部（表示制御部）。
【図１】
2019097672.tif 000003
【図２】
2019097672.tif 000004
【図３】
2019097672.tif 000005
【図４】
2019097672.tif 000006
【図５】
2019097672.tif 000007
【図６】
2019097672.tif 000008
【図７】
2019097672.tif 000009
【図８】
2019097672.tif 000010
【図９】
2019097672.tif 000011
【図１０】
2019097672.tif 000012
【図１１】
2019097672.tif 000013
【図１２】
2019097672.tif 000014